(57)【要約】【課題】ヒューマンエラー、電力供給支障およびヒューズ使用忘れなどを防止することができる表示試験装置を提供する。【解決手段】遠制装置５０の表示試験に用いるための表示試験装置であって、平常運転状態では表示試験ができないようにするための作業着手条件回路５１P，５２P，５１N，５２Nと、表示端子台５９のＰ電源が印加されている外部機器接続端子についての表示試験とＰ電源が印加されていない外部機器接続端子についての表示試験とを切り替えるための表示試験切替回路５５a，５５b，５６1，５６2とが遠制装置５０に組み込まれている。表示試験棒６１は、その先端に取り付けられた接触棒６１Aに平常運転状態では遠制装置５０からＰ電源が供給されない構造にされているとともに、上述した２つの表示試験を表示試験切替回路に切り替えさせる切替信号を発生するためにワンショット接点構造にされている。【選択図】図１
2010019756.tif 000002
【特許請求の範囲】
【請求項１】
遠隔監視制御装置（５０）の表示試験に用いるための表示試験装置であって、
前記遠隔監視制御装置に組み込まれた、かつ、該遠隔監視制御装置の平常運転状態では前記表示試験ができないようにするための作業着手条件回路と、
前記遠隔監視制御装置に組み込まれた、かつ、該遠隔監視制御装置が備える表示端子台（５９）の直流プラス電源が印加されている第１の外部機器接続端子についての前記表示試験と直流プラス電源が印加されていない第２の外部機器接続端子についての前記表示試験とを切り替えるための表示試験切替回路と、
試験用リード棒（６０）と、
を具備し、
前記試験用リード棒が、表示試験棒（６１）と、該試験用リード棒を前記遠隔監視制御装置に接続するためのコネクタ（６３）と、該表示試験棒と該コネクタとの間に設けられたコネクタケーブル（６２）とを備え、
前記表示試験棒が、その先端に取り付けられた接触棒（６１A）に前記平常運転状態では前記遠隔監視制御装置から直流プラス電源が供給されない構造にされているとともに、前記第１の外部機器接続端子についての前記表示試験と前記第２の外部機器接続端子についての前記表示試験とを前記表示試験切替回路に切り替えさせるための切替信号を発生するためにワンショット接点構造にされている、
ことを特徴とする、表示試験装置。
【請求項２】
前記作業着手条件回路が、直列接続された第１の遠方・直接切替開閉器（５１P）および第１の平常・試験切替開閉器（５２P）と、直列接続された第２の遠方・直接切替開閉器（５１N）および第２の平常・試験切替開閉器（５２N）とから構成されており、
前記試験用リード棒の前記表示試験棒に試験条件表示ランプ（６１B）が取り付けらており、
前記遠隔監視制御装置に設けられた表示試験用ターミナル（５８）に前記試験用リード棒の前記コネクタを差し込むと、前記直列接続された第１の遠方・直接切替開閉器および第１の平常・試験切替開閉器と前記直列接続された第２の遠方・直接切替開閉器および第２の平常・試験切替開閉器とが前記試験条件表示ランプを介して接続される、
ことを特徴とする、請求項１記載の表示試験装置。
【請求項３】
前記表示試験棒が、
前記表示試験用ターミナルに前記試験用リード棒の前記コネクタを差し込むと、前記直列接続された第１の遠方・直接切替開閉器および第１の平常・試験切替開閉器と接続される固定板（７４）と、
前記接触棒と前記固定板との間に設けられたバネ（７３）と、
を備え、
前記接触棒を前記表示端子台の前記第１または第２の外部機器接続端子に接触させて押し込むと、前記バネが縮んで該接触棒と前記固定板とが接触するようにされている、
ことを特徴とする、請求項２記載の表示試験装置。
【請求項４】
前記表示試験切替回路が、第１および第２のキープリレー（５６1，５６2）によって前記平常運転状態では閉状態にされた第１の接点（５５a）と、該第１および第２のキープリレーによって前記平常運転状態では開状態にされた第２の接点（５５b）とから構成されており、
前記表示試験用ターミナルに前記試験用リード棒の前記コネクタを差し込むと、前記直列接続された第１の遠方・直接切替開閉器および第１の平常・試験切替開閉器が前記第１の接点を介して前記表示試験棒の前記固定板に接続され、
前記ワンショット接点構造が、前記表示試験棒に取り付けられた可動接点（７１）および固定接点（７２）で構成されており、
前記可動接点が、前記接触棒の末端側に取り付けられており、
前記固定接点が、前記バネが伸びた状態で前記接触棒と前記固定板との間になる位置に取り付けられているとともに、前記表示試験用ターミナルに前記試験用リード棒の前記コネクタを差し込むと前記第１および第２のキープリレーの制御端子に接続される、
ことを特徴とする、請求項３記載の表示試験装置。
【請求項５】
前記遠隔監視制御装置に、前記表示端子台の前記第１の外部機器接続端子とアース間との電圧値を測定するための電圧計（５７）が組み込まれており、
前記試験用リード棒の前記表示試験棒に、前記電圧計で測定された電圧値を表示するための電圧値表示器（６１c）が取り付けられており、
前記表示試験用ターミナルに前記試験用リード棒の前記コネクタを差し込むと、前記電圧計の電圧入力端子が前記第２の接点を介して前記表示試験棒の前記固定板に接続されるとともに、該電圧計の測定信号出力端子が前記電圧値表示器の入力端子に接続される、
ことを特徴とする、請求項４記載の表示試験装置。
【請求項６】
第１の接点付ヒューズ（５３P）が、前記直列接続された第１の遠方・直接切替開閉器および第１の平常・試験切替開閉器と直列に接続されて前記遠隔監視制御装置に組み込まれており、
第２の接点付ヒューズ（５３N）が、前記直列接続された第２の遠方・直接切替開閉器および第２の平常・試験切替開閉器と直列に接続されて前記遠隔監視制御装置に組み込まれている、
ことを特徴とする、請求項２乃至５いずれかに記載の表示試験装置。
【発明の詳細な説明】
【技術分野】
【０００１】
本発明は、表示試験装置に関し、特に、発電所や変電所などに設置されている遠隔監視制御装置の据付や定期点検時の表示試験（表示確認試験）に用いるのに好適な表示試験装置に関する。
【背景技術】
【０００２】
電力会社では、発電所、変電所、開閉所およびダムなどの電気所を無人化して遠方から電力機器（たとえば、遮断器、断路器およびリレー装置）などを運転制御するために、図５に示すように、制御所に制御所装置１０を設置するとともに電気所に遠隔監視制御装置２０（以下、「遠制装置２０」と称する。）を設置して、同図に実線の片矢印で示すように制御情報を制御所装置１０から遠制装置２０を介して電力機器３０に送信し、同図に破線の片矢印で示すように表示・計測情報を電力機器３０から遠制装置２０を介して制御所装置１０に送信している。
【０００３】
ここで、遠制装置２０は、図６に示すように、処理部（ＣＰＵ）２１と、制御所装置１０との間で制御情報および表示・計測情報などを送受信するための送受信部（ＭＯＤＥＭ）２２と、電力機器３０からの表示情報を処理部２１に出力する表示基板２３と、２つの制御試験用確認端子Ｔ間に直列に接続された遠方・直接切替開閉器（４３Ｒ）２４および平常・試験切替開閉器（４３ＴＳ）２５と、遠制装置２０と電力機器３０とを接続するための表示端子台２６とを備える。
【０００４】
従来、このような遠制装置２０の据付や定期点検時の表示試験は、以下のようにして行われている。
制御所運転員は、「遠方・直接切替開閉器（４３Ｒ）２４を『遠方』から『直接』に切り替える」ように指令を発する（図７のステップＳ１１）。
現地運転員は、この指令に従って、遠方・直接切替開閉器（４３Ｒ）２４を『遠方』から『直接』に切り替える操作を行ったのち、この操作を行った旨を制御所運転員に連絡する（ステップＳ１２）。その後、現地運転員は、現地作業者に作業開始の許可を口頭で与える（ステップＳ１３）。
【０００５】
現地作業者は、作業開始の許可が与えられると、平常・試験切替開閉器（４３ＴＳ）２５を『平常』から『試験』に切り替える操作を行ったのち、表示試験を開始する（ステップＳ１４）。
表示試験は、遠制装置２０に模擬制御所装置（不図示）を接続し、図６に示す接点３１のように電力機器３０の接点が開状態であって直流プラス電源（以下、「Ｐ電源」と称する。）が印加されていない表示端子台２６の外部機器接続端子（図６に上から１番目に示す外部機器接続端子など）については、表示端子台２６の透明カバーを外し、この外部機器接続端子にリードクリップを介してＰ電源を印加して、模擬制御所装置に表示情報が伝送されることを確認することにより行っている。また、図６に示す接点３２のように電力機器３０の接点が閉状態であってＰ電源が印加されている表示端子台２６の外部機器接続端子（図６に上から５番目に示す外部機器接続端子など）については、この外部機器接続端子とアースＥとの間の電圧を測定することにより行っている。
【０００６】
表示試験が終了すると、現地作業者は、平常・試験切替開閉器（４３ＴＳ）２５を『試験』から『平常』に切り替える操作を行ったのち、現地運転員に作業終了を連絡する（ステップＳ１５）。
現地作業者から作業終了の連絡を受け取ると、現地運転員は制御所運転員に作業終了を連絡する（ステップＳ１６）。
現地運転員から作業終了の連絡を受けると、制御所運転員は、「遠方・直接切替開閉器（４３Ｒ）２４を『直接』から『遠方』に切り替える」ように指令を発する（ステップＳ１７）。
現地運転員は、この指令に従って遠方・直接切替開閉器（４３Ｒ）２４を『直接』から『遠方』に切り替える操作を行ったのち、この操作を行った旨を制御所運転員に連絡する（ステップＳ１８）。
【特許文献１】特開平９−２４５８５４号公報
【発明の開示】
【発明が解決しようとする課題】
【０００７】
しかしながら、上述した遠制装置２０の表示試験では、Ｐ電源が印加されていない表示端子台２６の外部機器接続端子については、現地作業者は、図８に示すように、試験用リード棒４０のリードクリップ４１で表示端子台２６のＰ電源端子（外部装置側）を挟み、試験用リード棒４０の接触棒４３をこの外部機器接続端子に接触させる作業を行う必要があるため、現地作業者の感電や外部機器接続端子間の短絡・接地事故などのヒューマンエラーが発生し易いという問題があった。
また、現地作業者が誤って制御ポジションの外部機器接続端子に接触棒４３の先端を接触させてしまうと、電力供給支障を引き起こすという問題があった。
さらに、試験用リード棒４０のリードクリップ４１と接触棒４３との間にはヒューズクリップ式のヒューズ４２が備えられているが、ヒューズクリップ式のヒューズ４２では、ヒューズ断の確認やヒューズ交換のためにケースから取り外す行為が生じて作業が複雑になるばかりでなく、ヒューズ使用忘れが生じ易いという問題があった。
【０００８】
なお、上述したようなヒューマンエラーや電力供給支障の問題を解決するために、上記の特許文献１には、端子台の端子カバーに穴をあけ、この穴を通して測定棒（接触棒）が端子（外部機器接続端子）と接触できる構造にし、端子カバーを取り外さなければ充電部分の端子を露出させることができないようにした端子台の端子カバーが開示されている。しかし、このような端子カバーは、測定棒の先端をビスの溝に当て、穴を測定棒の支点として測定棒を端子に固定するものであるため、測定棒が外れ易いという問題がある。
【０００９】
本発明の目的は、ヒューマンエラー、電力供給支障およびヒューズ使用忘れなどを防止することができる表示試験装置を提供することにある。
【課題を解決するための手段】
【００１０】
本発明の表示試験装置は、遠隔監視制御装置（５０）の表示試験に用いるための表示試験装置であって、前記遠隔監視制御装置に組み込まれた、かつ、該遠隔監視制御装置の平常運転状態では前記表示試験ができないようにするための作業着手条件回路と、前記遠隔監視制御装置に組み込まれた、かつ、該遠隔監視制御装置が備える表示端子台（５９）の直流プラス電源が印加されている第１の外部機器接続端子についての前記表示試験と直流プラス電源が印加されていない第２の外部機器接続端子についての前記表示試験とを切り替えるための表示試験切替回路と、試験用リード棒（６０）とを具備し、前記試験用リード棒が、表示試験棒（６１）と、該試験用リード棒を前記遠隔監視制御装置に接続するためのコネクタ（６３）と、該表示試験棒と該コネクタとの間に設けられたコネクタケーブル（６２）とを備え、前記表示試験棒が、その先端に取り付けられた接触棒（６１A）に前記平常運転状態では前記遠隔監視制御装置から直流プラス電源が供給されない構造にされているとともに、前記第１の外部機器接続端子についての前記表示試験と前記第２の外部機器接続端子についての前記表示試験とを前記表示試験切替回路に切り替えさせるための切替信号を発生するためにワンショット接点構造にされていることを特徴とする。
ここで、前記作業着手条件回路が、直列接続された第１の遠方・直接切替開閉器（５１P）および第１の平常・試験切替開閉器（５２P）と、直列接続された第２の遠方・直接切替開閉器（５１N）および第２の平常・試験切替開閉器（５２N）とから構成されており、前記試験用リード棒の前記表示試験棒に試験条件表示ランプ（６１B）が取り付けらており、前記遠隔監視制御装置に設けられた表示試験用ターミナル（５８）に前記試験用リード棒の前記コネクタを差し込むと、前記直列接続された第１の遠方・直接切替開閉器および第１の平常・試験切替開閉器と前記直列接続された第２の遠方・直接切替開閉器および第２の平常・試験切替開閉器とが前記試験条件表示ランプを介して接続されてもよい。
前記表示試験棒が、前記表示試験用ターミナルに前記試験用リード棒の前記コネクタを差し込むと、前記直列接続された第１の遠方・直接切替開閉器および第１の平常・試験切替開閉器と接続される固定板（７４）と、前記接触棒と前記固定板との間に設けられたバネ（７３）とを備え、前記接触棒を前記表示端子台の前記第１または第２の外部機器接続端子に接触させて押し込むと、前記バネが縮んで該接触棒と前記固定板とが接触するようにされていてもよい。
前記表示試験切替回路が、第１および第２のキープリレー（５６1，５６2）によって前記平常運転状態では閉状態にされた第１の接点（５５a）と、該第１および第２のキープリレーによって前記平常運転状態では開状態にされた第２の接点（５５b）とから構成されており、前記表示試験用ターミナルに前記試験用リード棒の前記コネクタを差し込むと、前記直列接続された第１の遠方・直接切替開閉器および第１の平常・試験切替開閉器が前記第１の接点を介して前記表示試験棒の前記固定板に接続され、前記ワンショット接点構造が、前記表示試験棒に取り付けられた可動接点（７１）および固定接点（７２）で構成されており、前記可動接点が、前記接触棒の末端側に取り付けられており、前記固定接点が、前記バネが伸びた状態で前記接触棒と前記固定板との間になる位置に取り付けられているとともに、前記表示試験用ターミナルに前記試験用リード棒の前記コネクタを差し込むと前記第１および第２のキープリレーの制御端子に接続されてもよい。
前記遠隔監視制御装置に、前記表示端子台の前記第１の外部機器接続端子とアース間との電圧値を測定するための電圧計（５７）が組み込まれており、前記試験用リード棒の前記表示試験棒に、前記電圧計で測定された電圧値を表示するための電圧値表示器（６１c）が取り付けられており、前記表示試験用ターミナルに前記試験用リード棒の前記コネクタを差し込むと、前記電圧計の電圧入力端子が前記第２の接点を介して前記表示試験棒の前記固定板に接続されるとともに、該電圧計の測定信号出力端子が前記電圧値表示器の入力端子に接続されてもよい。
第１の接点付ヒューズ（５３P）が、前記直列接続された第１の遠方・直接切替開閉器および第１の平常・試験切替開閉器と直列に接続されて前記遠隔監視制御装置に組み込まれており、第２の接点付ヒューズ（５３N）が、前記直列接続された第２の遠方・直接切替開閉器および第２の平常・試験切替開閉器と直列に接続されて前記遠隔監視制御装置に組み込まれていてもよい。
【発明の効果】
【００１１】
本発明の表示試験装置は、以下に示す効果を奏する。
（１）遠隔監視制御装置の平常運転状態では表示試験棒の接触棒に遠隔監視制御装置から直流プラス電源が供給されないようにすることにより、ヒューマンエラーや電力供給支障を引き起こすことを防止することができる。
（２）第１および第２の接点付ヒューズを遠隔監視制御装置に組み込むことにより、ヒューズ断の確認やヒューズ交換の作業を容易にすることができるとともにヒューズ使用忘れを防止することができる。
【発明を実施するための最良の形態】
【００１２】
上記の目的を、作業着手条件回路および表示試験切替回路を遠隔監視制御装置に組み込み、また、試験用リード棒の表示試験棒を平常運転状態では接触棒に遠隔監視制御装置から直流プラス電源が供給されない構造にするとともに表示試験切替回路用の切替信号を発生するようにワンショット接点構造にすることにより実現した。
【実施例１】
【００１３】
以下、本発明の表示試験装置の実施例について図面を参照して説明する。
本発明の一実施例による表示試験装置は、図１に示す遠隔監視制御装置５０（以下、「遠制装置５０」と称する。）に組み込まれた作業着手条件回路、Ｐ電源側およびＮ電源側接点付ヒューズ５３P，５３N、表示試験切替回路および電圧計５７と、図２に示す試験用リード棒６０とを具備する。
【００１４】
ここで、試験用リード棒６０は、図２に示すように、表示試験棒６１と、試験用リード棒６０を遠制装置５０に接続するためのコネクタ６３（好ましくは、ロック機構付き）と、表示試験棒６１とコネクタ６３との間に設けられたコネクタケーブル６２とを備える。なお、遠制装置５０には、試験用リード棒６０のコネクタ６３を差し込むことにより試験用リード棒６０を遠制装置５０に接続するための表示試験用ターミナル５８が設けられている。
試験用リード棒６０の表示試験棒６１は、その先端に取り付けられた接触棒６１Aに遠制装置５０の平常運転状態では（すなわち、常時は）遠制装置５０からＰ電源が供給されない構造にされているとともに、表示試験切替回路を切り替えるための切替信号を発生するようにワンショット接点構造にされている。また、表示試験棒６１には、試験条件表示ランプ６１Bおよび電圧値表示器６１Cも取り付けられている。
【００１５】
遠制装置５０に組み込まれた作業着手条件回路と試験用リード棒６０の表示試験棒６１に取り付けられた試験条件表示ランプ６１Bとは、遠制装置５０の平常運転状態では表示試験ができないようにするとともに表示試験開始条件が満たされていることを現地作業者に認知させることにより、誤情報による現地作業者の誤認防止を図るためのものである。
【００１６】
作業着手条件回路は、図１に示すように直列接続されたＰ電源側遠方・直接切替開閉器（４３Ｒ）５１PおよびＰ電源側平常・試験切替開閉器（４３ＴＳ）５２Pと、直列接続されたＮ電源側遠方・直接切替開閉器（４３Ｒ）５１NおよびＮ電源側平常・試験切替開閉器（４３ＴＳ）５２Nとから構成されている。ここで、Ｐ電源側遠方・直接切替開閉器（４３Ｒ）５１PおよびＮ電源側遠方・直接切替開閉器（４３Ｒ）５１Nは『遠方』から『直接』に切り替えられると閉じるように構成されており、Ｐ電源側平常・試験切替開閉器（４３ＴＳ）５２PおよびＮ電源側平常・試験切替開閉器（４３ＴＳ）５２Nは『平常』から『試験』に切り替えられると閉じるように構成されている。Ｐ電源側遠方・直接切替開閉器（４３Ｒ）５１PにはＰ電源が供給されており、Ｎ電源側遠方・直接切替開閉器（４３Ｒ）５１Nには直流マイナス電源（以下、「Ｎ電源」と称する。）が供給されている。
また、遠制装置５０の表示試験用ターミナル５８に試験用リード棒６０のコネクタ６３を差し込むと、直列接続されたＰ電源側遠方・直接切替開閉器（４３Ｒ）５１PおよびＰ電源側平常・試験切替開閉器（４３ＴＳ）５２Pと直列接続されたＮ電源側遠方・直接切替開閉器（４３Ｒ）５１NおよびＮ電源側平常・試験切替開閉器（４３ＴＳ）５２Nとは試験条件表示ランプ６１Bを介して接続される。すなわち、直列接続されたＰ電源側遠方・直接切替開閉器（４３Ｒ）５１PおよびＰ電源側平常・試験切替開閉器（４３ＴＳ）５２Pは、Ｐ電源側接点付ヒューズ５３P、配線ＰＴ１、表示試験用ターミナル５８、コネクタ６３およびコネクタケーブル６２を介して試験条件表示ランプ６１Bの一端に接続され、また、直列接続されたＮ電源側遠方・直接切替開閉器（４３Ｒ）５１NおよびＮ電源側平常・試験切替開閉器（４３ＴＳ）５２Nは、Ｎ電源側接点付ヒューズ５３N、配線ＮＴ１、表示試験用ターミナル５８、コネクタ６３およびコネクタケーブル６２を介して試験条件表示ランプ６１Bの他端に接続される（図３参照）。
【００１７】
これにより、現地運転員がＰ電源側およびＮ電源側遠方・直接切替開閉器（４３Ｒ）５１P，５１Nを『遠方』から『直接』に切り替える操作を行うとともに現地作業者がＰ電源側およびＮ電源側平常・試験切替開閉器（４３ＴＳ）５２P，５２Nを『平常』から『試験』に切り替える操作を行わない限り、Ｐ電源およびＮ電源が試験条件表示ランプ６１Bに供給されないので試験条件表示ランプ６１Bが点灯することはない。
【００１８】
その結果、表示試験開始条件を満たしたことを現地作業者に認知させるために「作業着手条件」および「表示試験電源あり」の両方が満たされたときにのみ試験条件表示ランプ６１Bを点灯するようにできるので、表示試験開始条件を満たしていない状態で現地作業者が表示試験を行うことを防止することができる。また、従来のように現地運転員による口頭指示だけでなくシステム的にも表示試験許可の指示を現地作業者に対して行うことができる。
【００１９】
直列接続されたＰ電源側遠方・直接切替開閉器（４３Ｒ）５１PおよびＰ電源側平常・試験切替開閉器（４３ＴＳ）５２Pと直列に接続されたＰ電源側接点付ヒューズ５３Pと、直列接続されたＮ電源側遠方・直接切替開閉器（４３Ｒ）５１NおよびＮ電源側平常・試験切替開閉器（４３ＴＳ）５２Nと直列に接続されたＮ電源側接点付ヒューズ５３Nとは、ヒューズを遠制装置５０に組み込むことによりヒューズ使用忘れやヒューズ断を容易に確認することができるようにするためであるとともに、図８に示したヒューズクリップ式のヒューズ４２のようにケースから取り外すことなく交換することができるのでヒューズ交換も容易に行うことができるようにするためである。
【００２０】
試験用リード棒６０の表示試験棒６１を遠制装置５０の平常運転状態では接触棒６１Aに遠制装置５０からＰ電源が供給されない構造にするのは、現地作業者が表示試験棒６１を無造作に取り扱ったときの直流接地を防いで現地作業者の安全の確保を図るためである。
【００２１】
そのため、表示試験棒６１は、図３に示すように、遠制装置５０の表示試験用ターミナル５８に試験用リード棒６０のコネクタ６３を差し込むと、直列接続されたＰ電源側遠方・直接切替開閉器５１PおよびＰ電源側平常・試験切替開閉器５２Pと接続される固定板７４と、接触棒６１Aと固定板７４との間に設けられたバネ７３とを備える。
すなわち、遠制装置５０の表示試験用ターミナル５８に試験用リード棒６０のコネクタ６３を差し込むと、図１乃至図３に示すようにＰ電源側遠方・直接切替開閉器（４３Ｒ）５１P、Ｐ電源側平常・試験切替開閉器（４３ＴＳ）５２P、Ｐ電源側接点付ヒューズ５３P、配線ＰＴ２、ａ接点５５a、表示試験用ターミナル５８、コネクタ６３およびコネクタケーブル６２を介して表示試験棒６１の固定板７４に遠制装置５０からＰ電源が供給されるようにしている。
また、固定板７４は、図３に示すようにバネ７３が伸びた状態では接触棒６１Aと電気的に絶縁しているが、表示試験棒６１の接触棒６１Aが遠制装置５０の表示端子台５９（図４参照）の外部機器接続端子に接触されて押し込まれたときにはバネ７３が縮んで接触棒６１Aと接触して電気的に接続されるようにされている。
【００２２】
遠制装置５０に組み込まれた表示試験切替回路と表示試験棒６１のワンショット接点構造とは、表示端子台５９（図４参照）のＰ電源が印加されている外部機器接続端子についての表示試験とＰ電源が印加されていない外部機器接続端子についての表示試験とを自動的に切り替えることにより、ヒューマンエラーや電力供給支障の防止を図るためのものである。
【００２３】
表示試験切替回路は、図１に示すように第１および第２のキープリレー（４３−ＰＸ）５６1，５６2によって開閉制御されるａ接点５５aおよびｂ接点５５bから構成されている。ここで、第１および第２のキープリレー（４３−ＰＸ）５６1，５６2は配線ＮＴ２を介してＮ電源側接点付ヒューズ５３Nに接続されている。
遠制装置５０の平常運転状態では、第１および第２のキープリレー（４３−ＰＸ）５６1，５６2はセット側にされており、図１に示すようにａ接点５５aは閉状態にｂ接点５５bは開状態にされている。
【００２４】
ａ接点５５aの一端は、配線ＰＴ２を介してＰ電源側接点付ヒューズ５３Pに接続されており、ａ接点５５aの他端は、遠制装置５０の表示試験用ターミナル５８に試験用リード棒６０のコネクタ６３を差し込むと、表示試験用ターミナル５８、コネクタ６３およびコネクタケーブル６２を介して表示試験棒６１の固定板７４に接続される。
ｂ接点５５bの一端は、電圧計５７の電圧入力端子に接続されており、ｂ接点５５bの他端はａ接点５５aの他端と接続されている。
これにより、遠制装置５０の表示試験用ターミナル５８に試験用リード棒６０のコネクタ６３を差し込むと、直列接続されたＰ電源側遠方・直接切替開閉器５１PおよびＰ電源側平常・試験切替開閉器５２Pがａ接点５５aを介して表示試験棒６１の固定板７４に接続されるとともに、電圧計５７の電圧入力端子がｂ接点５５bを介して表示試験棒６１の固定板７４に接続される。
【００２５】
表示試験棒６０のワンショット接点構造は、図３に示すように表示試験棒６１に取り付けられた可動接点７１および固定接点７２で構成されている。
可動接点７１は、接触棒６１Aの末端側に取り付けられているとともに、表示試験切替回路を正常状態に保つ必要性からラッチ機構にされて接触棒６１Aの押込み時には接触棒６１Aが不用意に戻らないようにされている。
固定接点７２は、バネ７３が伸びた状態で接触棒６１Aと固定板７４との間になる位置に取り付けられている。また、固定接点７２は、遠制装置５０の表示試験用ターミナル５８に試験用リード棒６０のコネクタ６３を差し込むと、コネクタケーブル６２、コネクタ６３および表示試験用ターミナル５８を介して第１および第２のキープリレー５６1，５６2の制御端子に接続される。
なお、ワンショット接点構造は、可動接点７１および固定接点７２の不要な接触を防止するために、接触棒６１Aを最後まで押し込むとリセットがかかる構造にされている。
【００２６】
これにより、図４に示す接点３１のように電力機器３０の接点が開状態であってＰ電源が印加されていない表示端子台５９の外部機器接続端子（図４に上から１番目に示す外部機器接続端子など）については、現地作業者が表示試験棒６１の接触棒６１Aをこの外部機器接続端子に接触させて押し込むことにより可動接点７１が固定接点７２に接触しても、固定接点７２にはＰ電源が印加されない。そのため、切替信号が第１および第２のキープリレー５６1，５６2の制御端子に入力されないので、第１および第２のキープリレー５６1，５６2は動作しない。その結果、ａ接点５５aは閉状態のままであり、ｂ接点５５bは開状態のままであるため、Ｐ電源を遠制装置５０から表示試験棒６１の固定板７４および接触棒６１Aを介してこの外部機器接続端子に印加して、この外部機器接続端子について表示試験を行うことができる。
【００２７】
一方、図４に示す接点３２のように電力機器３０の接点が閉状態であってＰ電源が印加されている表示端子台５９の外部機器接続端子（図４に上から５番目に示す外部機器接続端子など）については、現地作業者が表示試験棒６１の接触棒６１Aをこの外部機器接続端子に接触させて押し込むことにより可動接点７１が固定接点７２に接触すると、固定接点７２にＰ電源が印加される。そのため、切替信号が第１および第２のキープリレー５６1，５６2の制御端子に入力されるので、第１および第２のキープリレー５６1，５６2がリセット側へ動作する。その結果、ａ接点５５aが閉状態から開状態となるため、Ｐ電源側接点付ヒューズ５３Pと表示試験棒６１の固定板７４とは電気的に絶縁状態となって、遠制装置５０からこの外部機器接続端子にＰ電源が印加されることはない。
【００２８】
また、ｂ接点５５bは開状態から閉状態となるため、表示試験棒６１の固定板７４と電圧計５７とが電気的に接続されて、この外部機器接続端子とアースＥとの間の電圧値を電圧計５７で測定することにより、この外部機器接続端子について表示試験を行うことができる。
このとき、遠制装置５０の表示試験用ターミナル５８に試験用リード棒６０のコネクタ６３を差し込むと、電圧計５７の電圧入力端子がｂ接点５５bを介して表示試験棒６１の固定板７４に接続されるとともに、電圧計５７の測定信号出力端子が電圧値表示器６１cの入力端子に接続されるため、電圧計５７で測定された電圧値を示す信号は表示試験用ターミナル５８、コネクタ６３およびコネクタケーブル６２を介して表示試験棒６１の電圧値表示器６１cに入力される。その結果、現地作業者は、電圧値表示器６１cに表示された電圧値を読み取ることにより、この外部機器接続端子とアースＥとの間の電圧値を確認することができる。
【００２９】
以上により、現地作業者は、表示端子台５９の外部機器接続端子にＰ電源が印加されているかいないかに関わらず、一連の作業で表示試験を行うことができる。
【００３０】
外部機器接続端子とアースＥとの間の電圧値の測定が終了して現地作業者が表示試験棒６１の接触棒６１Aをこの外部機器接続端子から引き離すと、接触棒６１Aがバネ７３によって固定板７４から離れることにより可動接点７１が固定接点７２に接触する。その結果、固定接点７２にＰ電源が再度印加されて第１および第２のキープリレー５６1，５６2がセット側へ動作するので、ａ接点５５aは開状態から閉状態に戻り、ｂ接点５５bは閉状態から開状態に戻る。
【００３１】
なお、第１および第２のキープリレー５６1，５６2のチャタリングを防止するために、第１および第２のキープリレー５６1，５６2の動作と協調を取った限時動作および瞬時復帰を行うｂ接点（キープリレー）を第１および第２のキープリレー５６1，５６2と配線ＮＴ２との間に設けてもよい。
【図面の簡単な説明】
【００３２】
【図１】本発明の一実施例による表示試験装置における遠制装置５０の構成を示す図である。
【図２】本発明の一実施例による表示試験装置における試験用リード棒６０の構成を示す図である。
【図３】図２に示した試験用リード棒６０の機能を説明するための図である。
【図４】図１に示した遠制装置５０に端子台状態により試験を自動的に切り替える回路が組み込まれていることについて説明するための図である。
【図５】従来の遠隔監視制御装置の表示試験方法について説明するための図である。
【図６】図５に示した遠制装置２０の構成を示す図である。
【図７】従来の遠制装置の表示試験方法について説明するためのフローチャートである。
【図８】従来の遠制装置の表示試験方法の問題点について説明するための図である。
【符号の説明】
【００３３】
１０  制御所装置
２０  遠制装置（遠隔監視制御装置）
２１  処理部（ＣＰＵ）
２２  送受信部（ＭＯＤＥＭ）
２３  表示基板
２４  遠方・直接切替開閉器（４３Ｒ）
２５  平常・試験切替開閉器（４３ＴＳ）
２６  表示端子台
３０  電力機器
３１，３２  接点
４０  試験用リード棒
４１  リードクリップ
４２  ヒューズ
４３  接触棒
５０  遠制装置（遠隔監視制御装置）
５１P，５１N  Ｐ電源側およびＮ電源側遠方・直接切替開閉器（４３Ｒ）
５２P，５２N  Ｐ電源側およびＮ電源側平常・試験切替開閉器（４３ＴＳ）
５３P，５３N  Ｐ電源側およびＮ電源側接点付ヒューズ
５５a  ａ接点
５５b  ｂ接点
５６1，５６2  第１および第２のキープリレー
５８  表示試験用ターミナル
５９  表示端子台
６０  試験用リード棒
６１  表示試験棒
６１A  接触棒
６１B  試験条件表示ランプ
６１C  電圧値表示器
６２  コネクタケーブル
６３  コネクタ
７１  可動接点
７２  固定接点
７３  バネ
７４  固定板
ＰＴ１，ＰＴ２，ＮＴ１，ＮＴ２  配線
Ｓ１１〜Ｓ１８  ステップ
Ｔ  制御試験用確認端子
【図１】
2010019756.tif 000003
【図２】
2010019756.tif 000004
【図３】
2010019756.tif 000005
【図４】
2010019756.tif 000006
【図５】
2010019756.tif 000007
【図６】
2010019756.tif 000008
【図７】
2010019756.tif 000009
【図８】
2010019756.tif 000010